(57)【要約】【課題】  従来の飛翔昆虫防止フィルムは、全体として暗くなるか、又は全体として黄色になる。このような黄色は、人間の目に直接触れない部分の用途（蛍光灯そのに巻く等）には問題はないが、窓のように常時人間が見る部分では好まれない。そこで、人間の目にもやさしく、飛翔昆虫の飛来を抑制するフィルムを提供する。【解決手段】  家屋の窓に貼付して使用するものであって、波長が５００ｎｍ付近より短波長の電磁波はその９０％以上を遮断し、波長５２０ｎｍ付近〜５９０ｎｍ程度までのいずれかの波長の電磁波を７０％以上透過させ、且つ色としては半透明で黄緑から緑であるもの。【選択図】  図1
2007043915.tif 000002
【特許請求の範囲】
【請求項１】
家屋の窓に貼付して使用するものであって、波長が５００ｎｍ付近より短波長の電磁波はその９０％以上を遮断し、波長５２０ｎｍ付近〜５９０ｎｍ程度までのいずれかの波長の電磁波を７０％以上透過させ、且つ色としては半透明で黄緑から緑であることを特徴とする飛翔昆虫の飛来抑制フィルム。
【発明の詳細な説明】
【技術分野】
【０００１】
本発明は、飛翔昆虫の飛来抑制フィルムに関するものである。
【背景技術】
【０００２】
種々の建物、例えば、食品販売店の窓には、夜相当の飛翔昆虫が集まってくる。特に地方や農地に近い場所では顕著である。このような虫の飛来を防止するには、勿論、窓から光を出さなければよいが、通常、営業上その他の理由からそのようなことはできない。
また、食品工場では衛生の面からこのような飛翔昆虫は入らないようにしているが、窓やドアの光に集まり、開閉とともに侵入することがある。このようなことは食品工場では絶対に避けなければならない。そこで、二重扉にしたり、エアーカーテンを設けたりしているが、完全ではない。そもそもそのようなドアや窓に多量の虫が集まらないようにしたいのである。
【０００３】
この目的のためには、このようなドアや窓に種々のフィルムを貼付して、内部の光を部分的に遮断する方法が最も簡単であり、そのようなフィルムも既に市販されている。
しかし、従来のこの種のフィルムは、どれも満足するものではなかった。
【０００４】
即ち、窓等に貼付するこの種のフィルムには、次の４つの機能が必要なのである。
1)  いわゆる趨光性昆虫（比較的低波長の電磁波によって来る飛翔昆虫）を寄せつけないようにする。
2)  夜行性の昆虫で暗所で活動するものに、昼間と感じさせ危険のシグナルを与えて行動を抑制する。天敵などの出現等多くの危険を思わせるのである。
3)  建屋の窓であるため、できるだけ可視光を遮断しない。
4)  人間が目にする部分であるため、目に優しい色にしたい。
【０００５】
しかしながら、従来の前記した市販のフィルムは、このような全機能を備えたものはなく、どの商品もどれかを犠牲にしているものであった。
【発明の開示】
【発明が解決しようとする課題】
【０００６】
そこで、本発明では、この４つの全機能を満足する窓貼付用フィルムを提供する。
【課題を解決するための手段】
【０００７】
以上のような状況に鑑み、本発明者は鋭意研究の結果本発明飛翔昆虫の飛来抑制フィルムを完成したものであり、その特徴とするところは、家屋の窓に貼付して使用するものであって、波長が５００ｎｍ付近より短波長の電磁波はその９０％以上を遮断し、波長５２０ｎｍ付近〜５９０ｎｍ程度までのいずれかの波長の電磁波を７０％以上透過させ、且つ色としては半透明で黄緑から緑である点にある。
【０００８】
本出願でいう窓とは、一般にいう窓だけに限らず、建物内から建物外に光が出る部分をすべていう。例えば、温室では光が通過する全面であり、その他ドア等の部分も含む。また、建物の内外を仕切る部分だけでなく、建物内で使用する仕切り部分であってもよい。
【０００９】
本発明フィルムは、波長が５００ｎｍ付近より短波長の電磁波はその９０％以上を遮断する。ここで、５００ｎｍ付近とは、４７０ｎｍ〜５２０ｎｍ程度であり、これ以下の電磁波（可視光と紫外線等）を９０％以上カットするのである。このように、４７０ｎｍ〜５２０ｎｍまで幅があるのは生物が相手であるためである。
これ以下をカットするのは、紫外線と波長の短い可視光に向かって飛来する害虫が多いため、そのような害虫を寄せ付けないためである。即ち、これによって、前記した４つの機能の内の第１番目の機能を果たすものである。
【００１０】
次に前記した機能の第２番目である。これは、ある種の昆虫は、夜行性であり比較的暗い所で行動をする。このような昆虫に対しては、単に光や紫外線を遮断するだけではほとんど効果がない。
この種の昆虫は、夜行性であり昼間は天敵が多く、生存条件が厳しいため木の洞や葉の下、土の中にひそみ行動しない。この性質を利用して、夜でも一定の光を照射することによって、昼間と誤認させる方法が研究されてきている。
【００１１】
このように誤認させるのは、全光や紫外線は必要でなく、波長５２０ｎｍ付近〜５９０ｎｍ程度までの波長の光を照射するだけでよいことが分かってきている。よって、この波長の光があれば昼と錯覚して行動を停止し、飛翔、吸汁、交尾等をしないことが研究で分かってきたのである。
【００１２】
そこで本発明では、波長５２０ｎｍ付近〜５９０ｎｍ程度までのいずれかの波長の電磁波を７０％以上透過させる。波長５２０ｎｍ付近〜５９０ｎｍ程度までのいずれかの波長とは、例えば５８０ｎｍの光のみ透過（７０％以上）させる、５５０〜５８０ｎｍ全体を透過（７０％以上）させる等である。
これによって、前記した４つの機能の内の第２番目の機能を果たすものである。
【００１３】
また、このことによって、全体の光透過率も向上し、窓としての採光量も確保される。これによって、前記した４つの機能の内の第３番目の機能を果たすものである。
【００１４】
色としては半透明で黄緑から緑である。これは、本発明のある種のポイントであり、これは人間を対象としたものである。即ち、上記のように紫外線に近い領域を遮断し、その他をすべて比較的よく透過するとどうしても人間の目には黄色に見えてしまう。これを目にやさしい緑、黄緑の系統にしているのである。これは、波長５２０ｎｍ付近〜５９０ｎｍ程度以外の部分をあまり透過させないことによって可能になる。具体的に、どの波長をどうするというよりは、人間の目で見て緑又は黄緑と見えればよいということである。
【００１５】
このように、波長５２０ｎｍ付近〜５９０ｎｍ程度以外の電磁波をあまり透過させなくても、前記した夜行性の昆虫の行動抑制等の効果は十分達成できたのである。即ち、このような効果を見いだしたことが本発明の根本である。
【００１６】
実験で効果のあった害虫の例としては、飛来抑制としては、ベニフキノメイガ、コクロヒメハマキ、アワノメイガ、チャノホソガ、チャバネアオカメムシ、タマナギンウワバ、ナシヒメシンクイ等であった。
【００１７】
このような特定波長以下は遮断し、それ以上は遮断しないという効果は、顔料又は染料によって行なう。顔料や染料の種類は自由であり、このような効果があればよい。勿論、それらを複数混合してもよい。
発明者の実験では、アゾ系イエローが好適であり、なかでも、ビスアゾ系がより好適であった。
【００１８】
このような顔料又は染料は、フィルムに練り込んでもよいし、染色しても、コーティングしてもよい。
【００１９】
フィルム本体（顔料や染料を除くと）は、透明であればよく、ＰＥＴ（ポリエステル樹脂）、ＰＣ（ポリカーボネート樹脂）、ＭＳ（スチレンアクリル樹脂）その他、５２０ｎｍ〜５９０ｎｍ程度以上の長波長の電磁波の透過に問題がない限りはどのようなものでもよい。
フィルム自体の厚みも自由であり、電磁波の透過率を確保できれば、シートのような厚いものでもよい。
【００２０】
本発明フィルムを窓に貼付するのであるが、これは窓ガラスや窓フィルム等に貼付する方法だけででなく、窓が網のようなものであれば、それに貼ってもよく、何もない場合には窓ガラスの代わり張ってもよい。
【発明の効果】
【００２１】
本発明フィルムには次のような大きな利点がある。
（１）  本発明フィルムを用いると、夜行性の飛翔昆虫の飛来が大きく軽減できる。
（２）  安価である。
（３）  波長５２０ｎｍ〜５９０ｎｍ程度までのいずれかの波長の電磁波を７０％以上透過させることによって、暗いところで行動する夜行性の昆虫の行動も大きく抑制される。
（４）  全体として、緑〜黄緑であるため、人間にとって非常にやさしい感じである。
【発明を実施するための最良の形態】
【００２２】
以下図面に示す実施の形態に基づいて、本発明をより詳細に説明する。
図１は、本発明フィルム１の断面図である。この例の材質は、主材２がＰＥＴであり、それに顔料（ビスアゾ系イエロー）をコーティング３している。前記した通り、顔料を主材に練り込んでもよいことは当然である。人間の目には半透明の緑色に見える。
【００２３】
図２は、各波長による透過率のグラフである。このグラフからわかるように、６４０ｎｍ付近の透過を少なくしているため、黄色より緑になるのである。
【００２４】
このフィルムを通常の蛍光灯を点灯している食品工場の１方の窓に全面貼付した。この工場では、南側と東側に窓やドアがあるが、その南側全面に貼付した。夕方から周囲が暗くなってくると、内部からの光に飛翔昆虫が集まってくるが、本発明フィルムを貼付した窓にはほとんど集まらなかった。
【００２５】
また、色はグリーンであり、店の雰囲気を壊すようなことはなかった。
【図面の簡単な説明】
【００２６】
【図１】本発明フィルムの１例を示す断面図である。
【図２】本発明フィルム１の各波長による透過率のグラフである。
【符号の説明】
【００２７】
１  本発明フィルム
２  主材
３  コーティング
【図１】
2007043915.tif 000003
【図２】
2007043915.tif 000004